(57)【要約】【課題】コンテンツデータの再生時に、コマーシャルをスキップさせるスキップ操作を繰り返し行うと、スキップした位置のずれ時間が、スキップ回数に伴って増加する。【解決手段】記録装置に記録されたコンテンツデータの再生時にスキップキーの押下に基づいてコンテンツデータの特定の期間をスキップするコンテンツ記録再生装置において、制御手段は、スキップキー押下時刻及びスキップ基準時刻を記憶するスキップ情報記憶部と、スキップ情報記憶部の情報に基づいてスキップ量を設定するスキップ量設定部とを備え、スキップ量設定部は、スキップ基準時刻に対して予め定めた時間経過した後にスキップキーが押下された場合にスキップ基準時刻に対して第１スキップ時間分スキップし、スキップ基準時刻に対して予め定めた時間内にスキップキーの押下があった場合にスキップ基準時刻に対して第２スキップ時間分スキップする制御を行う。【選択図】      図１
2005100510.tif 000002
【特許請求の範囲】
【請求項１】
有線又は無線により送信されたコンテンツデータを受信する受信手段と、前記受信手段が受信したコンテンツデータを記録媒体に記録し当該記録媒体に記録されたコンテンツデータを読み出す記録装置と、前記記録装置から読み出されたコンテンツデータを再生する再生手段と、コンテンツデータの記録及び再生に関する指示を入力するキー並びにコンテンツデータの特定の期間を飛び越すスキップ再生を入力するスキップキーを有する操作部と、前記操作部の指示に基づいて前記記録装置へのコンテンツデータの記録及び再生の制御を行う制御手段とを備えたコンテンツ記録再生装置において、前記制御手段は、前記スキップキーが押下された時刻及びスキップにより再生が再開した時刻を示すスキップ基準時刻を記憶するスキップ情報記憶部と、前記スキップキーの押下時刻と前記スキップ基準時刻とに基づいてスキップ量を設定するスキップ量設定部とを備え、前記スキップ量設定部は、前記スキップ基準時刻に対して予め定めた時間経過した後に前記スキップキーが押下されたときスキップ基準時刻から第１スキップ時間をスキップした後に再生を開始し、前記スキップ基準時刻に対して予め定めた時間内に前記スキップキーの押下があったときスキップ基準時刻から第２スキップ時間をスキップした後に再生を開始する制御を行うと共に、スキップキーが押下された時刻及びスキップ基準時刻をスキップ情報記憶部に記憶する制御を行うことを特徴とするコンテンツ記録再生装置。
【請求項２】
請求項１記載のコンテンツ記録再生装置において、前記制御手段の前記スキップ情報記憶部は、更に、前記スキップキーの押下によりスキップ動作が連続して行われている期間を示すスキップ期間を記憶し、前記スキップ量設定部は、前記記録装置に記録されたコンテンツデータを２回目以降に再生する場合において前記スキップキーの押下が前記スキップ情報記憶部に記憶されたスキップ期間内にされたとき当該期間の終了時刻までスキップした後にコンテンツデータの再生を再開する制御を行うことを特徴とするコンテンツ記録再生装置。
【請求項３】
請求項１記載のコンテンツ記録再生装置において、前記制御手段の前記スキップ情報記憶部は、更に、前記スキップキーの押下によりスキップ動作が連続して行われている期間を示すスキップ期間を記憶し、前記スキップ量設定部は、操作部により自動スキップのモードの設定があった場合、再生中のコンテンツデータに関するスキップ期間に基づいて当該スキップ期間を再生せずにコンテンツデータを再生することを特徴とするコンテンツ記録再生装置。
【発明の詳細な説明】
【技術分野】
【０００１】
本発明は、有線又は無線により送信されたコンテンツデータを受信し、当該コンテンツデータの記録再生を行うコンテンツ記録再生装置に関する。
【背景技術】
【０００２】
テレビジョン放送による放送信号等のコンテンツデータを受信し、そのコンテンツデータを記録媒体に記録し、記録したコンテンツデータを再生するコンテンツ記録再生装置がある。当該コンテンツ記録再生装置においては、コンテンツデータを再生する際に、ユーザがリモコン等を用いて操作することにより、テレビジョン放送の番組に含まれるコマーシャル部分を飛ばして（スキップ）して再生するというスキップ機能を備えている。このようなスキップ機能を備えた装置として、特開２００２−１５２６８７公報に開示されている画像記録再生装置がある。
【０００３】
特開２００２−１５２６８７公報に開示されている画像記録再生装置は、コマーシャルが始まってから、ユーザがリモコンを手に取りスキップキーを押すまでの時間（例えば、３秒）の遅れを考慮し、１回目のスキップキーの押下では第１所定時間（例えば、１２秒）のスキップをするようにし、コマーシャルが終了した後の番組の冒頭部分を見逃してしまう可能性を低くしている。
【０００４】
また、スキップキーが連続して２回以上押下された場合、すなわち、スキップキーが押下され映像が画面に表示される前にスキップキーの押下があった場合は、第１所定時間より長い第２所定時間（例えば、１５秒）のスキップをする。
【０００５】
また、２回目以降のスキップキーの押下において、スキップして映像を画面に短時間（例えば、１秒、２秒、３秒）表示させた後にユーザがスキップキーの押下を行なうことを考慮し、前回のスキップキーの押下の時刻より一定時間内（例えば、３秒以内）にスキップキーの押下があった場合、第３所定時間（例えば、１４秒）のスキップをする。
【０００６】
【特許文献１】特開２００２−１５２６８７
【発明の開示】
【発明が解決しようとする課題】
【０００７】
特開２００２−１５２６８７公報に開示されている画像記録再生装置では、スキップする際にスキップキーが押下された時点を基準にスキップ動作を行なう。ユーザによるスキップキーの押下が前回のスキップキーの押下の時刻より前述した一定時間（例えば、３秒）よりも長い場合、スキップキーが押下された時点を基準に第１所定時間（例えば、１２秒）によりスキップをする。このため、ユーザが同様のスキップーの押下の動作を繰り返した場合、スキップした位置の時刻が適正な時刻（コマーシャル時間（例えば、１５秒、３０秒など）の倍数の時刻）から遅い時刻に徐々にずれる。
【０００８】
例えば、画像記録再生装置に記録された放送信号（コンテンツデータ）は、当該コンテンツデータの先頭の時刻が００時００分００秒であり、００時００分００秒から００時１４分５９秒までが番組であり、時刻００時１５分００秒から００時１６分３０秒までがコマーシャルであり、００時１６分３１秒から番組が始まるとする。ユーザが００時１５分０２秒に１回目のスキップキーを押下し、その後、スキップして再生が再開した後４秒間再生しスキップキーを押下する動作を繰り返すとする。そうすると、スキップして再生が再開した時刻が００時１５分１４秒、００時１５分３０秒、００時１５分４６秒、００時１６分０２秒、００時１６分１８秒、００時１６分３４秒・・・となり、適正な時刻（１５秒又は３０秒の倍数の時刻）から１秒、２秒、３秒、４秒・・・と遅い時刻に徐々にずれる。この例では、番組が００時１６分３０秒から始まる場合、番組を４秒見逃すことになる。
【０００９】
このように、前回のスキップキーの押下の時刻から次のスキップキーの押下の時刻までの時間が前述した一定時間（例えば、３秒）よりも長い場合、スキップキーの押下を繰り返しスキップする回数が増加すると、スキップして再生が再開した時刻が適正な時刻からずれ、そのずれ時間がスキップ回数に比例して徐々に長くなる。このため、ユーザがスキップ動作により番組の冒頭を見逃した場合に、スキップ回数の増加に伴って番組の冒頭に戻すまでの時間が長くなるという問題がある。
【００１０】
また、特開２００２−１５２６８７公報に開示されている画像記録再生装置では、スキップする際にスキップキーが押下された時点を基準にスキップ動作を行い、前回のスキップキーの押下によるスキップが完了した直後にスキップキーを押下する操作を繰り返し行った場合、スキップキーが押下された時点を基準に第三所定時間（例えば、１４秒）でのスキップ動作を繰り返す。このため、ユーザが同様のスキップーの押下の操作を繰り返した場合、スキップした位置の時刻が適正な時刻（１５秒又は３０秒の倍数の時刻）から速い時刻に徐々にずれる。
【００１１】
例えば、画像記録再生装置に記録されたコンテンツデータが、コンテンツデータの先頭の時刻が００時００分００秒であり、００時００分００秒から００時１４分５９秒までが番組であり、時刻００時１５分００秒から００時１６分３０秒までがコマーシャルであり、００時１６分３１秒から番組が始まるとする。ユーザが００時１５分０２秒にスキップキーを押下し、スキップが完了した直後にスキップキーを押下する動作を繰り返すとする。そうすると、スキップした時刻が００時１５分１６秒、００時１５分３０秒、００時１５分４４秒、００時１５分５８秒、００時１６分１３秒、００時１６分２７秒・・・のようにスキップし、適正な時刻（１５秒又は３０秒の倍数の時刻）から１秒、２秒、３秒・・・と速い時刻にずれる。この例では、番組が００時１６分３０秒から始まる場合、番組の前のコマーシャルを３秒見た後に番組を見ることになる。
【００１２】
このように、スキップした直後にスキップキーを押下する操作を繰り返しスキップする回数が増加すると、スキップして再生が再開した時刻が適正な時刻からずれ、そのずれ時間がスキップ回数に比例して徐々に長くなる。このため、ユーザがスキップキーの押下によりコマーシャルをスキップさせた場合でも、スキップ回数の増加に伴い番組が再生されるまでにコマーシャルを見る時間が長くなり、そのコマーシャル部分を早送して番組が再生されるまでにかかる時間が長くなるという問題がある。
【００１３】
さらに、特開２００２−１５２６８７の画像記録再生装置では、記録した番組を再生した後、再度当該番組を再生する際、ユーザは、前回の再生時でのコマーシャルの時間やスキップキーの押下のタイミングや回数を参考にしてスキップキーの押下によるスキップ操作を行わなければならない。このため、記録した番組を再生する毎に前回の再生時でのスキップ操作と同様のスキップ操作を行わなければならず、煩わしいという問題がある。
【００１４】
本発明は、ユーザがスキップキーの押下を繰り返しスキップ回数が増加しても、スキップして再生が再開した時刻が適正な時刻（コマーシャル時間の１５秒又は３０秒の倍数の時刻）からずれる時間を短くすることができ、コンテンツデータを２回目以降に再生した場合のスキップ操作の煩わしさをなくしたコンテンツ記録再生装置を提供することを目的とする。
【課題を解決するための手段】
【００１５】
本発明は、有線又は無線により送信されたコンテンツデータを受信する受信手段と、前記受信手段が受信したコンテンツデータを記録媒体に記録し当該記録媒体に記録されたコンテンツデータを読み出す記録装置と、前記記録装置から読み出されたコンテンツデータを再生する再生手段と、コンテンツデータの記録及び再生に関する指示を入力するキー並びにコンテンツデータの特定の期間を飛び越すスキップ再生を入力するスキップキーを有する操作部と、前記操作部の指示に基づいて前記記録装置へのコンテンツデータの記録及び再生の制御を行う制御手段とを備えたコンテンツ記録再生装置において、前記制御手段は、前記スキップキーが押下された時刻及びスキップにより再生が再開した時刻を示すスキップ基準時刻を記憶するスキップ情報記憶部と、前記スキップキーの押下時刻と前記スキップ基準時刻とに基づいてスキップ量を設定するスキップ量設定部とを備え、前記スキップ量設定部は、前記スキップ基準時刻に対して予め定めた時間経過した後に前記スキップキーが押下されたときスキップ基準時刻から第１スキップ時間をスキップした後に再生を開始し、前記スキップ基準時刻に対して予め定めた時間内に前記スキップキーの押下があったときスキップ基準時刻から第２スキップ時間をスキップした後に再生を開始する制御を行うと共に、スキップキーが押下された時刻及びスキップ基準時刻をスキップ情報記憶部に記憶する制御を行うことを特徴とする。
【００１６】
本発明は、上述したコンテンツ記録再生装置において、前記制御手段の前記スキップ情報記憶部は、更に、前記スキップキーの押下によりスキップ動作が連続して行われている期間を示すスキップ期間を記憶し、前記スキップ量設定部は、前記記録装置に記録されたコンテンツデータを２回目以降に再生する場合において前記スキップキーの押下が前記スキップ情報記憶部に記憶されたスキップ期間内にされたとき当該期間の終了時刻までスキップした後にコンテンツデータの再生を再開する制御を行うことを特徴とする。
【００１７】
本発明は、上述のコンテンツ記録再生装置において、前記制御手段の前記スキップ情報記憶部は、更に、前記スキップキーの押下によりスキップ動作が連続して行われている期間を示すスキップ期間を記憶し、前記スキップ量設定部は、操作部により自動スキップのモードの設定があった場合、再生中のコンテンツデータに関するスキップ期間に基づいて当該スキップ期間を再生せずにコンテンツデータを再生することを特徴とする。
【発明の効果】
【００１８】
本発明によれば、スキップキーの操作を繰り返しスキップ回数が増加しても、スキップして再生が再開した時刻が適正な時刻からずれる時間が長くなることなく、番組の再生を開始するまでにかかる時間が短い。また、既に再生したコンテンツデータを再度再生する場合に、前回の再生時にスキップキーが操作された内容に基づいて自動的にコマーシャル部分をスキップして再生するため、スキップキーの操作の煩わしさがない。
【発明を実施するための最良の形態】
【００１９】
図１は、本発明のコンテンツ記録再生装置の一実施例の概略構成を示す図である。
コンテンツ記録再生装置は、テレビチューナ１、エンコーダ２、デコーダ３、出力部４、ハードディスクドライブ（Hard Disc Drive、以下「ＨＤＤ」という。）５、操作部６、表示部７、制御部８を備える。コンテンツ記録再生装置には、映像を表示するためのモニタ９と、音声を出力するためのスピーカ１０が接続されている。なお、本実施例において、有線又は無線により送信されてきた信号（画像信号、音声信号等）をコンテンツデータとする。コンテンツデータには、テレビジョン放送における番組（ドラマ、ニュース番組、音楽番組等）と、番組の間に放送されるコマーシャルが含まれる。
【００２０】
テレビチューナ１は、後述する制御部８の制御により、アンテナ１ａが受信した電波の中から所定の搬送波周波数の信号を抽出し、当該信号を復調し、アナログ画像信号とアナログ音声信号をエンコーダ２に出力する。
【００２１】
エンコーダ２は、テレビチューナ１から入力するアナログビデオ信号をＭＰＥＧ（Moving Picture Experts Group）１、分ＰＥＧ２などのデジタルビデオデータに変換する。また、エンコーダ２は、テレビチューナ１から入力するアナログオーディオ信号を分ＰＥＧ、リニアＰＣ分（Pulse Code Modulation）などのデジタルオーディオデータに変換する。ビデオデータ及びオーディオデータは、後述する制御部８の制御により、コンテンツデータとしてＨＤＤ５又はデコーダ３に出力される。
【００２２】
デコーダ３は、後述するＨＤＤ５またはエンコーダ２から入力するコンテンツデータをビデオデータとオーディオデータに分離し、それぞれのデータをデコードして出力部４に出力する。
【００２３】
出力部４は、デジタルインターフェース（図示せず）やデジタルアナログ変換器（図示せず）を備える。デジタルインターフェースは、デコーダ３から入力するビデオデータ及びオーディオデータをデジタル信号としてモニタ９又はスピーカ１０に出力する。デジタルアナログ変換器は、デコーダから入力するビデオデータ及びオーディオデータをアナログ信号としてモニタ９又はスピーカ１０に出力する。
【００２４】
ＨＤＤ５は、後述する制御部８の制御により、エンコーダ２から入力するビデオデータ及びオーディオデータを記録媒体に記録する。また、ＨＤＤ５は、後述する制御部８の制御により、記録媒体に記録されたビデオデータ及びオーディオデータを読み出し、デコーダ３に出力する。また、ＨＤＤ５は、コンテンツデータに関する情報（コンテンツデータ名、記録開始時刻、記録終了時刻、再生時間、番組名など）も記録する。
【００２５】
操作部６は、テレビチューナ１における受信局の選局、ＨＤＤ５に記録されたコンテンツデータの再生開始や再生停止、コマーシャル部分を飛ばして再生する指示をするスキップ等の操作キーを備える。操作部６は、ユーザによるキーの押下に基づいて、押下されたキーに関する指示信号を制御部８に出力する。
【００２６】
表示部７は、制御部８の制御により、受信局の表示、コンテンツデータの再生状態（再生中、再生停止など）を示す表示、ＨＤＤ５に記録されているコンテンツデータに関する情報（再生時間、番組名など）の表示を行う。
【００２７】
制御部８は、当該装置の動作を制御するための制御プログラムが書き込まれたＲＯＭ（Read Only Memory）（図示せず）、プログラム実行に必要な一時記憶領域を有するＲＡＭ（Random Access Memory）（図示せず）、スキップキーが押下された時刻等のスキップ情報を記憶するスキップ情報記憶部８ａ、スキップキーの押下に基づくスキップ量を制御するスキップ量設定部８ｂを備え、装置全体の動作を統括的に制御する。
【００２８】
制御部８のスキップ情報記憶部８ａは、再生中のコンテンツデータに対するスキップキーが押下された時刻（スキップキー押下時刻）、スキップした後にコンテンツデータの再生が再開した再生開始時刻（スキップ基準時刻）を含むスキップ情報を、当該再生中のコンテンツデータを特定するコンテンツ情報と共に記憶する。なお、コンテンツデータを再生した後、最初のスキップキーの押下がある前は、コンテンツデータの先頭の時刻がスキップ基準時刻として記憶される。
【００２９】
制御部８のスキップ量設定部８ａは、スキップ基準時刻とスキップキー押下時刻とを参照し、スキップ基準時刻からスキップキーが押下されるまで時間を求め、その求めた時間が予め定めた時間を経過しているか否かにより、スキップする時間（スキップ時間）を設定し、スキップ動作を制御する。
【００３０】
一般的に、番組中に放送される１つのコマーシャルの時間は、１５秒又は３０秒の倍数の時間である。１つのコマーシャルが開始してから１６秒以上又は３１秒以上経過したときには次のコマーシャル或いは番組が始まり、ユーザが現在再生しているコマーシャルをスキップするか否かを判断するには、最長でも１つのコマーシャル時間（１５秒又は３０秒）の間で判断することができる。このことから、予め定めた時間は、スキップ基準時刻から１５秒又は３０秒とする。本実施例においては、１５秒とする。
【００３１】
制御部８のスキップ量設定部８ａは、スキップ基準時刻からスキップキーが押下されるまで時間が予め定めた時間を経過している場合は第１スキップ時間を設定し、スキップ基準時刻からスキップキーが押下されるまで時間が予め定めた時間以内の場合は第２スキップ時間（第１スキップ時間＜第２スキップ時間）を設定する。
【００３２】
第１スキップ時間は、ユーザがコマーシャルを認識してリモコンを取り上げてからスキップキーを押下するまでにかかる時間（３秒）を考慮した時間であって、本実施例においては、１２秒とする。
【００３３】
スキップ量設定部８ａは、スキップ基準時刻からスキップキーが押下されるまで時間を求め、求めた時間が予め定めた時間を経過している場合（例えば、１６秒、１７秒など）、すなわち、次のコマーシャルが始まり１秒、２秒など経過した場合、スキップ時間として第１スキップ時間（１２秒）を設定する。そして、スキップキーの押下がスキップ基準位置より予め定めた時間（１５秒）を経過している場合、再生中の時刻から第１スキップ時間（１２秒）のスキップをする。
【００３４】
また、第２スキップ時間は、スキップした後に再生が再開したコンテンツデータをユーザが見て、再生した部分がコマーシャルであることを判断してスキップキーを押下した場合のスキップ時間であり、コマーシャルの時間に相当する１５秒又は３０秒とする。本実施例では、第２スキップ時間を１５秒とする。
【００３５】
スキップ量設定部８ａは、スキップ基準時刻からスキップキーが押下されるまで時間を求め、求めた時間が予め定めた時間（１５秒）以内の場合、スキップ時間として第２スキップ時間（１５秒）を設定する。この結果、スキップキーの押下がスキップ基準位置より予め定めた時間（１５秒）以内の場合、スキップ基準位置から第２スキップ時間（１５秒）のスキップをする。
【００３６】
コンテンツ記録再生装置の動作について説明する。
ユーザの操作部６の操作により、受信するテレビジョン放送が選局され、放送信号の記録開始の指示があると、テレビチューナ１は、制御部８の制御に基づいてアンテナ１ａで受信した信号から選局された放送信号を抽出し、アナログビデオ信号とアナログオーディオ信号をエンコーダ２に出力する。エンコーダ２は、テレビチューナ１から出力されたアナログビデオ信号とアナログオーディオ信号をエンコードし、コンテンツデータとしてＨＤＤ５に出力する。ＨＤＤ５は、エンコーダ２から入力するコンテンツデータを記録する。
【００３７】
操作部６によりＨＤＤ５に記録されているコンテンツデータの再生開始の指示があると、制御部８は、ＨＤＤ５に記録されているコンテンツデータを読み出し、デコーダ３によりデコードする。デコードされたコンテンツデータは、出力部４によりビデオ信号はモニタ９に出力され、オーディオ信号はスピーカ１０に出力される。
【００３８】
本実施例では、エンコーダ２から出力されたコンテンツデータを一度ＨＤＤ５に記録し、その後、ユーザに指示により、ＨＤＤ５に記録されたコンテンツデータ読み出し再生するとして説明するが、それに限定されない。コンテンツ記録再生装置は、テレビチューナ１が受信しエンコーダ２によりエンコードされたコンテンツデータをＨＤＤ５に記録すると共に、エンコーダ２によりエンコードされたコンテンツデータをデコーダ３によりデコードし、出力部４から出力するようにしてもよい。すなわち、コンテンツ記録再生装置では、受信した放送信号をＨＤＤ５に記録し、ＨＤＤ５に記録したコンテンツデータを再生したり、受信した放送信号をＨＤＤ５に記録すると共にリアルタイムにコンテンツデータをモニタ９及びスピーカ１０に出力することができる。
【００３９】
コンテンツ記録再生装置におけるスキップ動作を説明する。
最初に、ＨＤＤ５に記録されたコンテンツデータを最初に再生する際のスキップ動作について説明する。
図２は、本実施例のコンテンツ記録再生装置においてコンテンツデータを最初に再生した際のスキップ動作を説明するためのフローチャートである。
【００４０】
コンテンツ記録再生装置は、テレビチューナ１が受信した放送信号をコンテンツデータとしてＨＤＤ５に記録する。そして、操作部６により、ＨＤＤ５に記録されたコンテンツデータに対して最初に再生開始の指示があると、ＨＤＤ５は、制御部８の制御に基づいて指定されたコンテンツデータの読み出しを行う。読み出されたコンテンツデータは、デコーダ３によりデコードされ、出力部４からモニタ９及びスピーカ１０に出力される。スキップ動作は、この再生中に行われる動作である。
【００４１】
制御部８は、操作部６から再生開始の指示があると、ＨＤＤ５に記録されている当該コンテンツデータを特定する情報と、スキップ情報記憶部８ａに記憶されているスキップ情報とを検出し、当該コンテンツデータが記録後の最初の再生であるか否かを判断する（Ｓ１１）。すなわち、スキップ情報記憶部８ａに当該コンテンツデータに関するスキップ情報がない場合、当該コンテンツデータが記録後の最初の再生であると判断し、スキップ情報記憶部８ａにスキップ情報がある場合、当該コンテンツデータが２回目以降の再生であると判断する。
【００４２】
当該コンテンツデータが記録後の最初の再生でない場合、すなわち、当該コンテンツデータは２回目以降の再生である場合、２回目以降の再生におけるスキップ処理に移行する（Ｓ１２）。
【００４３】
当該コンテンツデータが記録後の最初の再生である場合、次に、操作部６から再生開始の指示があった時刻を、当該コンテンツデータにおける１番目のスキップ基準時刻としてスキップ情報記憶部８ａに記憶する（Ｓ１３）。
【００４４】
制御部８は、コンテンツデータの再生中に、操作部６のスキップキーが押下されたか否かを監視する（Ｓ１４）。
【００４５】
スキップキーの押下があると、制御部８は、今回のスキップキーの押下が１番目のスキップ基準時刻から１５秒以内にされているか否か判断する（Ｓ１５）。
【００４６】
今回のスキップキーの押下が１番目（前回）のスキップ基準時刻から１５秒以内にされてない場合、当該コンテンツデータの再生中の時刻から１２秒間のスキップをする（Ｓ１６）。そして、スキップ後の再生開始時刻を２番目のスキップ基準時刻としてスキップ情報記憶部８ａに記憶する（秒１７）。
【００４７】
今回のスキップキーの押下が１番目のスキップ基準時刻から１５秒以内にされている場合、当該スキップ基準時刻から１５秒間のスキップをする（Ｓ１８）。そして、スキップ後の再生開始時刻を２番目のスキップ基準時刻としてスキップ情報記憶部８ａに記憶する（Ｓ１７）。
【００４８】
制御部８は、操作部６から再生停止の指示があったか否かを判断し（Ｓ１９）、再生停止の指示があった場合は再生を終了し、再生停止の指示がない場合はステップ１４（Ｓ１４）に戻り、ステップ１４（Ｓ１４）からステップ１９（Ｓ１９）までの処理を繰り返す。
【００４９】
前述したスキップ動作について、具体的に説明する。
図３は、本実施例のコンテンツ記録再生装置におけるスキップ動作を説明するための図である。
ここでは、コンテンツデータの先頭の時刻を００時００分００秒とし、コンテンツデータの先頭から１５分経過した後に、１分間のコマーシャルが再生されるものとして説明する。
【００５０】
００時１５分００秒を経過した後、００時１５分０２秒にユーザがスキップキーを押下すると、当該スキップキーの押下が最初のスキップキーの押下（１番目のスキップ基準時刻（コンテンツデータの先頭の時刻）から１５秒経過している）であるため、再生中の位置（００時１５分０２秒）から１２秒（第１スキップ時間）のスキップが行われ、００時１５分１４秒からコンテンツデータの再生を開始する。スキップ情報記憶部８ａには、００時１５分１４秒が２番目のスキップ基準時刻として記憶される。
【００５１】
その後、ユーザが５秒間映像を見て、００時１５分１９秒にスキップキーを押下した場合、スキップキーの押下が２番目のスキップ基準時刻（００時１５分１４秒）から１５秒以内にされたため、２番目のスキップ基準時刻（００時１５分１４秒）に対して１５秒（第２スキップ時間）のスキップが行なわれ、００時１５分２９秒からコンテンツデータの再生が再開される。スキップ情報記憶部８ａには、００時１５分２９秒が３番目のスキップ基準時刻として記憶される。
【００５２】
その後、ユーザが１秒間映像を見て、００時１５分３０秒にスキップキーを押下した場合、スキップキーの押下が３番目のスキップ基準時刻（００時１５分２９秒）から１５秒以内にされたため、３番目のスキップ基準時刻（００時１５分２９秒）に対して１５秒（第２スキップ時間）のスキップが行なわれ、００時１５分４４秒からコンテンツデータの再生が再開される。スキップ情報記憶部８ａには、００時１５分４４秒が４番目のスキップ基準時刻として記憶される。
【００５３】
その後、ユーザが１秒間映像を見て、００時１５分４５秒にスキップキーを押下した場合、スキップキーの押下が４番目のスキップ基準時刻（００時１５分４４秒）から１５秒以内にされたため、４番目のスキップ基準時刻（００時１５分４４秒）に対して１５秒（第２スキップ時間）のスキップが行なわれ、００時１５分５９秒からコンテンツデータの再生が開始される。スキップ情報記憶部８ａには、００時１５分５９秒が５番目のスキップにおけるスキップ基準時刻として記憶される。そして、００時１６分００秒から番組が始まるため、ユーザは、スキップ操作を終了する。
【００５４】
そして、スキップ情報記憶部８ａには、後述するように、１回目のスキップキーの押下の時刻（００時１５分０２秒）から、４回目のスキップキーの押下によりスキップして再生を再開した時刻（００時１５分５９秒）までをスキップ期間として記憶される。
【００５５】
図４は、本実施例のコンテンツ記録再生装置におけるスキップ情報の一例を説明する図である。図５は、本実施例のコンテンツ記録再生装置におけるスキップ状態の一例を説明する図である。
上述したスキップ動作を繰り返すことにより、スキップ情報記憶部８ａには、図４に示すようなスキップ情報が記憶される。図４において、「Ａ」というコンテンツデータは、００時００分００秒から００時５７分２１秒までのデータであり、その中でスキップキーが１２回押下されている。図４に示すスキップ情報に基づくスキップ状態は、図５に示すようになる。
【００５６】
１回目のスキップキーの押下が００時１５分０２秒に行われ、４回目のスキップキーの押下が００時１５分４５秒に行われ、４回目のスキップ動作後、００時１５分５９秒から再生が開始されている。同様に、５回目のスキップキーの押下が００時３０分０３秒に行われ、８回目のスキップキーの押下が００時３０分４３秒に行われ、８回目のスキップ動作後、００時３０分５７秒から再生が開始されている。また、９回目のスキップキーの押下が００時４５分０２秒に行われ、１２回目のスキップキーの押下が００時４５分４４秒に行われ、１２回目のスキップ動作後、００時４５分５９秒から再生が開始されている。
【００５７】
制御部８は、コンテンツデータの初回の再生が終了した後、スキップ情報記憶部８ａに記憶した当該コンテンツデータのスキップ情報を参照し、スキップしコンテンツデータの再生が再開した後、予め定めた時間（例えば、２分など）以上継続して再生が行われている場合（スキップキーの押下がない場合）、その再生が再開する前にスキップ動作が連続して行われている期間をスキップ期間として設定する。
【００５８】
例えば、図４においては、１回目のスキップキー押下時刻（００時１５分０２秒）から４回目のスキップによる再生開始時刻（００時１５分５９秒）までがスキップ期間１となり、５回目のスキップキー押下時刻（００時３０分０３秒）から８回目のスキップによる再生開始時刻（００時３０分５７秒）までをスキップ期間２となり、９回目のスキップキー押下時刻（００時４５分０２秒）から１２回目のスキップによる再生開始時刻（００時４５分５９秒）までがスキップ期間３となり、これらの情報がスキップ情報記憶部８ａに記憶される。
【００５９】
以上のように、ＨＤＤ５に記録されたコンテンツデータの最初の再生において、スキップキーの押下が、前回のスキップキーの押下に基づくスキップ基準位置から１５秒以内にされなかった場合は、再生中の時刻から１２秒のスキップを行う。また、スキップキーの押下が、前回のスキップキーの押下に基づくスキップ基準位置から１５秒以内にされた場合は、１５秒のスキップを行う。
【００６０】
本実施例のコンテンツ記録再生装置におけるスキップ動作では、前回のスキップに動作により再生が再開した時刻をスキップ基準時刻とし、スキップキーの押下があった場合に当該スキップ基準時刻からスキップをする。このため、コンテンツデータの初回の再生において、２回目以降のスキップ動作では、スキップキーを押下するタイミングがスキップキーの押下毎に異なっても、スキップ後にコンテンツデータの再生が再開する時刻がスキップ基準時刻（前回のスキップによるコンテンツデータの再生が再開した時刻）に対してスキップ数に比例してずれ時間が長くなることがない。
【００６１】
したがって、スキップ回数が増加しても、適正な時刻（１５秒又は３０秒の倍数の時刻）に対し、スキップした後にコンテンツデータの再生が再開した時刻のずれ時間が一定の時間であり、スキップキーの押下を繰り返しスキップ回数が増加しても、適正な時刻に対するスキップによるコンテンツデータの再生再開の時刻のずれ時間が増加することがなく、そのずれ時間を修正するための早送り或いは早戻しにかかる時間が短時間ですむ。特に、コマーシャルが始まった後、ユーザがコマーシャルを認識してリモコンを取り上げてからスキップキーを押下するまでにかかる時間が３秒である場合は、スキップ回数が増加しても、必ず１５秒又は３０秒の倍数の時間スキップし、コマーシャルを短時間見てから番組を見ることができたり、或いは、番組の冒頭を見逃すことがない。
【００６２】
次に、ＨＤＤ５に記録されたコンテンツデータについて、上述したように最初の再生においてスキップ動作（ユーザによるスキップキーの押下、コンテンツデータのスキップ）が行われた後、当該コンテンツデータを２回目以降に再生した場合のスキップ動作について説明する。
【００６３】
図６は、本実施例のコンテンツ記録再生装置における２回目以降のコンテンツデータの再生時におけるスキップ動作を示すフローチャートである。
コンテンツ記録再生装置は、テレビチューナ１が受信した放送信号をコンテンツデータとしてＨＤＤ５に記録する。そして、操作部６により、ＨＤＤ５に記録されたコンテンツデータに対して最初に再生開始の指示があると、制御部８は、図２のステップ１１（Ｓ１１）に示すように、ＨＤＤ５に記録されている当該コンテンツデータを特定する情報とスキップ情報記憶部８ａに記憶されているスキップ情報とを検出し、当該コンテンツデータが記録後の初回の再生であるか否かを判断する。
【００６４】
当該コンテンツデータが記録後の初回の再生でない場合（Ｓ１１）、当該コンテンツデータは２回目以降の再生であるものと判断し、図５に示す２回目以降の再生におけるスキップ処理に移行する（Ｓ１２）。
【００６５】
図６において、制御部８は、スキップ情報記憶部８ａに記憶されている当該コンテンツデータのスキップ情報を検索する（Ｓ２１）。コンテンツデータのスキップ情報としては、図４に示すスキップ情報である。
【００６６】
制御部８は、コンテンツデータの再生中に、操作部６のスキップキーが押下されたか否かを監視する（Ｓ２２）。
【００６７】
スキップキーの押下があると、制御部８は、今回のスキップキーの押下が、当該コンテンツデータの初回の再生時におけるスキップ動作により特定したスキップ期間内にされたものであるか否かを判断する（Ｓ２３）。
【００６８】
今回のスキップキーの押下が当該コンテンツデータのスキップ期間内である場合、今回のスキップキーの押下の時刻が含まれるスキップ期間をスキップして再生する（Ｓ２４）。例えば、当該コンテンツデータのスキップ期間１の開始時刻が００時１５分０２秒、終了時刻が００時１５分５９秒であり、スキップキーの押下が００時１５分０５秒であった場合、コマーシャル期間の終了時刻（００時１５分５９秒）までスキップし、００時１６分００秒から再生を開始する。
【００６９】
今回のスキップキーの押下が当該コンテンツデータのスキップ期間内でない場合、図２に示すステップ１５（Ｓ１５）〜ステップ１９（Ｓ１９）と同様の動作を行う。
【００７０】
すなわち、制御部８は、今回のスキップキーの押下が、１つ前のスキップ動作に基づくスキップ基準時刻から１５秒以内にされているか否か判断し（Ｓ２５）、今回のスキップキーの押下がスキップ基準時刻から１５秒以内にされてない場合、当該コンテンツデータの再生中の時刻から１２秒間スキップし（Ｓ２６）、スキップ後の再生再開時刻を新たなスキップ基準時刻としてスキップ情報記憶部８ｂに記憶する（Ｓ２７）。
【００７１】
今回のスキップキーの押下がスキップ基準時刻から１５秒以内にされている場合、当該スキップ基準時刻から１５秒間スキップし（Ｓ２８）、スキップ後の再生再開時刻を新たなスキップ基準時刻としてスキップ情報記憶部８ｂに記憶する（Ｓ２７）。
【００７２】
制御部８は、操作部６から再生停止の指示があったか否かを判断し（Ｓ２９）、再生停止の指示があった場合は再生を終了し、再生停止の指示がない場合はステップ２２（Ｓ２２）に戻り、ステップ２２（Ｓ２２）からステップ２９（Ｓ２９）までの処理を繰り返す。
【００７３】
ここで、前述のスキップ動作において、スキップキーの押下によりスキップ期間をスキップする際に、そのスキップ動作中に操作部６による他のキー（再生停止、一時停止など）の押下がない場合、当該スキップ期間に関して、初回のコンテンツデータの再生時に行われたスキップ操作の最初のスキップキーの押下時刻及び当該スキップ期間の終了時刻（当該スキップ期間内の最後のスキップ基準時刻）のみを当該スキップ期間の開始時刻及び終了時刻としてスキップ情報を変更するようにしてもよい。
【００７４】
具体的には、スキップ情報記憶部８ａには、スキップ期間１の情報として、図４に示すように、１回目のスキップキー押下から第４回目のスキップキーの押下までの、スキップキー時刻、再生開始時刻、スキップ基準時刻が記憶されている。コンテンツデータの２回目以降の再生において、スキップキーの押下があり、当該スキップ動作中に他のキーの押下がない場合、スキップ期間１の情報として、１回目のスキップキーの押下時刻（００時１５分０２秒）をスキップ期間開始時刻とし、４回目の再生開始時刻（００時１５分５９秒）をスキップ期間終了時刻としてスキップ情報記憶部８ａのスキップ情報を変更してもよい。
【００７５】
このことにより、スキップ情報記憶部８ａに記憶するコマーシャル期間に相当するスキップ情報のデータ量を少なくすることができ、スキップ情報記憶部８ａの記憶可能領域を有効に使用することができる。
【００７６】
以上のように、コンテンツデータを２回目以降の再生において、スキップキーの押下があり、当該スキップキーの押下が、初回のコンテンツデータの再生におけるスキップ動作に基づくスキップ期間内に行われている場合、当該スキップキーの押下時刻が含まれるスキップ期間をスキップする。
【００７７】
例えば、２回目のコンテンツデータの再生において、００時１５分１３秒にスキップキーの押下があった場合、当該時刻が含まれるスキップ期間１の終了時刻（４回目のスキップ動作による再生再開時刻）までスキップする。また、００時３０分１０秒にスキップキーの押下があった場合、当該時刻が含まれるスキップ期間２の終了時刻（８回目のスキップ動作による再生再開時刻）までスキップする。また、００時４５分０２秒にスキップキーの押下があった場合、当該時刻が含まれるスキップ期間３の終了時刻（１２回目のスキップ動作による再生再開時刻）までスキップする。
【００７８】
したがって、２回目以降のコンテンツデータの再生において、コンテンツデータの１回目の再生におけるスキップ情報（スキップ期間）に基づいて、当該スキップ期間内にスキップキーの押下があった場合、スキップキーの押下があった時刻が含まれる当該スキップ期間の終了時刻までスキップする。このことにより、ユーザは、１回のスキップキーの押下によりスキップ期間をスキップさせることができ、スキップキーを何度も押下すという煩わしさがなく操作が簡単になる。
【００７９】
また、前述した実施例において、２回目以降のコンテンツデータの再生開始前に、操作部６により予めコマーシャル自動スキップのモードを設定することにより、コンテンツデータを２回目以降の再生において、スキップキーを押すことなく、初回のコンテンツデータの再生時に設定された当該コンテンツデータに含まれる全てのスキップ期間を自動的にスキップして再生するようにすることもできる。
【００８０】
スキップ情報記憶部８ａには、ＨＤＤ５に記録されたコンテンツデータに対応するスキップ情報が記憶されているため、当該スキップ情報を参照することにより、コンテンツデータを２回目以降の再生において、スキップキーの押下がない場合であってもスキップ期間をスキップして再生することができる。
【００８１】
例えば、コンテンツデータを２回目以降の再生において、コマーシャル自動スキップのモードが設定されている場合、コンテンツデータの先頭時刻（００時００分００秒）から１回目のスキップキーの押下時刻（００時１５分０２秒）直前までコンテンツデータを再生し、１回目のスキップキーの押下時刻（００時１５分０２秒）から４回目のスキップ動作による再生再開時刻（００時１６分００秒）までの期間をスキップし、００時１６分０１秒からコンテンツデータの再生を行う。また、５回目のスキップキーの押下時刻（００時３０分０３秒）直前までコンテンツデータを再生し、５回目のスキップキーの押下時刻（００時３０分０３秒）から８回目のスキップ動作による再生再開時刻（００時３０分５７秒）までの期間をスキップし、００時３０分５８秒からコンテンツデータの再生を行う。そして、９回目のスキップキーの押下時刻（００時４５分０２秒）直前までコンテンツデータを再生し、９回目のスキップキーの押下時刻（００時４５分０２秒）から１２回目のスキップ動作による再生再開時刻（００時４５分５９秒）までの期間をスキップし、００時４６分００秒からコンテンツデータの再生を開始し、００時５７分２１秒までコンテンツデータの再生を行う。
【００８２】
このように、コンテンツデータの２回目以降の再生においては、スキップ情報記憶部８ａに記憶されたスキップ情報を参照し、当該コンテンツデータの１回目の再生においてスキップされた範囲のコンテンツデータを再生せず、その他の時間のコンテンツデータを再生する。このことにより、２回目以降にコンテンツデータを再生する際に、ユーザが再度コマーシャルかどうかを確認し、コマーシャルをスキップさせるためにスキップキーを何度も押下するという煩わしさがない。
【００８３】
また、２回目以降のコンテンツデータの再生において、１回目にスキップキーの押下を行ったユーザとは別のユーザが再生する場合がある。このとき、１回目にスキップキーの押下を行ったユーザとは別のユーザが、１回目のコンテンツデータの再生においてスキップされたスキップ期間に含まれるコマーシャルを視聴したい場合、または、先にスキップ操作を行ったユーザがあやまってスキップキーを押下したためコマーシャルのみをスキップせず番組をスキップさせている場合がある。
【００８４】
このような場合、本実施例のコンテンツ記録再生装置では、スキップ情報記憶部８ａに記憶されたスキップ情報（例えば、図４）を表示部７に表示し、ユーザは操作部６を用いてスキップ情報の時刻を変更することができる。
【００８５】
例えば、図４において、４回目のスキップに関する情報（スキップキー押下時刻、スキプ基準時刻、再生開始時刻）を削除することにより、３回目のスキップ動作による再生開始時刻からコンテンツデータの再生が開始するようにすることができる。また、１回目のスキップキーの押下時刻「００：１５：０２」を「００：１５：００」に変更し、また、５回目のスキップキーの再生開始時刻「００：１５：５９」に変更することにより、コマーシャルが再生されている「００：１５：００」から「００：１５：５９」までの期間をスキップして番組のみを再生するようにすることができる。
【００８６】
このことにより、より正確に、コマーシャルを再生せずコンテンツデータのみを再生することができる。
【００８７】
また、前述した実施例では、スキップ情報を制御部に備えたスキップ情報記憶部８ａに記憶するとしたが、それ限定されない。例えば、スキップ情報をコンテンツデータに関連させて記録装置に記録するようにしてもよい。
【００８８】
また、前述した実施例は、コマーシャルのスキップ機能を例に挙げて説明したが、コマーシャルのためのスキップ機能だけには限定されず、単なるスキップ処理にも適応することができる。
【図面の簡単な説明】
【００８９】
【図１】本発明のコンテンツ記録再生装置の一実施例の概略構成を示す図。
【図２】本実施例のコンテンツ記録再生装置においてコンテンツデータを最初に再生した際のスキップ動作を説明するためのフローチャート。
【図３】本実施例のコンテンツ記録再生装置におけるスキップ処理を説明するための図。
【図４】本実施例のコンテンツ記録再生装置におけるスキップ情報の一例を説明する図。
【図５】本実施例のコンテンツ記録再生装置におけるスキップ状態の一例を説明する図。
【図６】本実施例のコンテンツ記録再生装置における２回目以降のコンテンツデータの再生時におけるスキップ動作を示すフローチャート。
【符号の説明】
【００９０】
１・・・テレビチューナ、１ａ・・・アンテナ、２・・・エンコーダ、３・・・デコーダ、４・・・出力部、５・・・ＨＤＤ、６・・・操作部、７・・・表示部、８・・・制御部、８ａ・・・スキップ情報記憶部、８ｂ・・・スキップ量設定部、９・・・モニタ、１０・・・スピーカ。
【図１】
2005100510.tif 000003
【図２】
2005100510.tif 000004
【図３】
2005100510.tif 000005
【図４】
2005100510.tif 000006
【図５】
2005100510.tif 000007
【図６】
2005100510.tif 000008
【手続補正書】
【提出日】平成15年12月2日(2003.12.2)
【手続補正２】
【補正対象書類名】明細書
【補正対象項目名】００２１
【補正方法】変更
【補正の内容】
【００２１】
エンコーダ２は、テレビチューナ１から入力するアナログビデオ信号をＭＰＥＧ（Moving Picture Experts Group）１、ＭＰＥＧ２などのデジタルビデオデータに変換する。また、エンコーダ２は、テレビチューナ１から入力するアナログオーディオ信号をＭＰＥＧ、リニアＰＣＭ（Pulse Code Modulation）などのデジタルオーディオデータに変換する。ビデオデータ及びオーディオデータは、後述する制御部８の制御により、コンテンツデータとしてＨＤＤ５又はデコーダ３に出力される。
【手続補正３】
【補正対象書類名】明細書
【補正対象項目名】００４６
【補正方法】変更
【補正の内容】
【００４６】
今回のスキップキーの押下が１番目（前回）のスキップ基準時刻から１５秒以内にされてない場合、当該コンテンツデータの再生中の時刻から１２秒間のスキップをする（Ｓ１６）。そして、スキップ後の再生開始時刻を２番目のスキップ基準時刻としてスキップ情報記憶部８ａに記憶する（Ｓ１７）。